(57)【要約】【課題】車両用灯具の意匠性を向上させる技術を提供する。【解決手段】車両用灯具は、光源と、透光性材料で構成される本体部３２を有し、光源とアウターカバーとの間に配置される灯具構成部品とを備える。灯具構成部品は、灯具外側を向く第１表面３０ｂと、第１表面３０ｂに背向する第２表面３０ｃとを有する。第１表面３０ｂは、灯具外からの光を反射する第１光反射面３０ｂ１と灯具外からの光を透過させる第１光透過面３０ｂ２とを有する。第２表面３０ｃは、灯具外から第１光透過面３０ｂ２を介して灯具構成部品内に入射した光を灯具外側に向けて反射する第２光反射面３０ｃ１を有する。第２光反射面３０ｃ１は、灯具構成部品内に入射した光の一部を第１光反射面３０ｂ１と第１光透過面３０ｂ２との境界領域ＢＲに向けて反射する傾斜部３６を有する。【選択図】図２
2017112056.tif 000002
【特許請求の範囲】
【請求項１】
光源と、
透光性材料で構成される本体部を有し、前記光源とアウターカバーとの間に配置される灯具構成部品と、を備え、
前記灯具構成部品は、灯具外側を向く第１表面と、前記第１表面に背向する第２表面とを有し、
前記第１表面は、灯具外からの光を反射する第１光反射面と灯具外からの光を透過させる第１光透過面とを有し、
前記第２表面は、灯具外から前記第１光透過面を介して灯具構成部品内に入射した光を灯具外側に向けて反射する第２光反射面を有し、
前記第２光反射面は、灯具構成部品内に入射した光の一部を前記第１光反射面と前記第１光透過面との境界領域に向けて反射する傾斜部を有することを特徴とする車両用灯具。
【請求項２】
前記傾斜部は前記境界領域の近傍に配置され、
前記灯具構成部品は、前記傾斜部から前記第１光反射面の延在する側の厚さが前記傾斜部から前記第１光透過面の延在する側の厚さよりも薄い請求項１に記載の車両用灯具。
【請求項３】
前記灯具構成部品は、前記第１表面及び前記第２表面をつなぐ複数の側面を有し、
前記第１光反射面は、前記複数の側面のうちの第１側面と前記第１表面との接続部まで延在し、
前記第２光反射面は、前記第１側面と前記第２表面との接続部まで延在し、
前記第１側面と、前記第１側面とは異なる第２側面とは、光透過面を有し、
車両用灯具は、前記第２側面から灯具構成部品内に光を入射する第２光源をさらに備え、
前記第２側面から灯具構成部品内に入射した前記第２光源の光は、前記第１側面から出射される請求項１又は２に記載の車両用灯具。
【発明の詳細な説明】
【技術分野】
【０００１】
本発明は、車両用灯具に関し、特に自動車などの車両に用いられる車両用灯具に関する。
【背景技術】
【０００２】
一般に車両用灯具は、エクステンション部材等の灯具構成部品を備える。エクステンション部材は、車両用灯具の正面からの見栄えを向上するために用いられる部品であり、灯具ユニットとランプボディとの間の隙間を覆い隠すように配置される。従来、このようなエクステンション部材として、透明部材の表面にアルミニウム等の金属膜を設けた構造を有するものが知られている（例えば特許文献１参照）。
【先行技術文献】
【特許文献】
【０００３】
【特許文献１】特開平６−７６６０９号公報
【発明の概要】
【発明が解決しようとする課題】
【０００４】
本発明者は、灯具構成部品に透明部材を用いる車両用灯具について鋭意検討を重ねた結果、従来の車両用灯具には意匠性を向上させる余地があることを見出した。
【０００５】
本発明はこうした状況に鑑みてなされたものであり、その目的は、車両用灯具の意匠性を向上させる技術を提供することにある。
【課題を解決するための手段】
【０００６】
上記課題を解決するために、本発明のある態様は車両用灯具である。当該車両用灯具は、光源と、透光性材料で構成される本体部を有し、光源とアウターカバーとの間に配置される灯具構成部品と、を備える。灯具構成部品は、灯具外側を向く第１表面と、前記第１表面に背向する第２表面とを有する。第１表面は、灯具外からの光を反射する第１光反射面と灯具外からの光を透過させる第１光透過面とを有する。第２表面は、灯具外から第１光透過面を介して灯具構成部品内に入射した光を灯具外側に向けて反射する第２光反射面を有する。第２光反射面は、灯具構成部品内に入射した光の一部を第１光反射面と第１光透過面との境界領域に向けて反射する傾斜部を有する。この態様によれば、車両用灯具の意匠性を向上させることができる。
【０００７】
上記態様において、傾斜部は境界領域の近傍に配置され、灯具構成部品は、傾斜部から第１光反射面の延在する側の厚さが傾斜部から第１光透過面の延在する側の厚さよりも薄くてもよい。この態様によれば、車両用灯具の意匠性をより向上させることができる。また、上記いずれかの態様において、灯具構成部品は、第１表面及び第２表面をつなぐ複数の側面を有し、第１光反射面は、複数の側面のうちの第１側面と第１表面との接続部まで延在し、第２光反射面は、第１側面と第２表面との接続部まで延在し、第１側面と、第１側面とは異なる第２側面とは、光透過面を有し、車両用灯具は、第２側面から灯具構成部品内に光を入射する第２光源をさらに備え、第２側面から灯具構成部品内に入射した第２光源の光は、第１側面から出射されてもよい。この態様によれば、車両用灯具の意匠性をより向上させることができる。
【発明の効果】
【０００８】
本発明によれば、車両用灯具の意匠性を向上させることができる。
【図面の簡単な説明】
【０００９】
【図１】実施の形態に係る車両用灯具を模式的に示す鉛直断面図である。
【図２】エクステンション部材の一部を拡大して示す断面図である。
【図３】エクステンション部材の傾斜部の近傍を拡大して示す断面図である。
【図４】図４（Ａ）は、比較例に係るエクステンション部材の一部を拡大して示す断面図である。図４（Ｂ）は、実施の形態に係るエクステンション部材の一部を拡大して示す断面図である。
【図５】変形例１に係るエクステンション部材の一部を拡大して示す断面図である。
【図６】変形例２に係るエクステンション部材の一部を拡大して示す断面図である。
【発明を実施するための形態】
【００１０】
以下、本発明を好適な実施の形態をもとに図面を参照しながら説明する。各図面に示される同一または同等の構成要素、部材、処理には、同一の符号を付するものとし、適宜重複した説明は省略する。各図に示す各部の縮尺や形状は、説明を容易にするために便宜的に設定されており、特に言及がない限り限定的に解釈されるものではない。また、実施の形態は、発明を限定するものではなく例示であって、実施の形態に記述されるすべての特徴やその組み合わせは、必ずしも発明の本質的なものであるとは限らない。また、本明細書または請求項中に用いられる「第１」、「第２」等の用語は、いかなる順序や重要度を表すものではなく、ある構成と他の構成とを区別するためのものである。
【００１１】
図１は、実施の形態に係る車両用灯具を模式的に示す鉛直断面図である。本実施の形態に係る車両用灯具１は、例えば車両用前照灯装置である。車両用前照灯装置は、車両前方の左右に配置される一対の前照灯ユニットを有する。一対の前照灯ユニットは左右対称の構造を有する点以外は実質的に同一の構成であるため、図１には車両用灯具１として一方の前照灯ユニットの構造を示す。
【００１２】
車両用灯具１は、ランプボディ２と、ランプボディ２の前面開口部を覆う透明なアウターカバー４とを備える。ランプボディ２とアウターカバー４は、灯室６を形成している。灯室６内には、灯具ユニット１０及び灯具構成部品としてのエクステンション部材３０が収容される。
【００１３】
灯具ユニット１０は、いわゆる反射型の灯具ユニットであり、ブラケット１２と、光源搭載部１４と、光源１６と、リフレクタ１８と、シェード部２０と、投影レンズ２２とを備える。
【００１４】
ブラケット１２は、例えばアルミニウムなどの金属材料で形成された略板状の部材であり、主表面が灯具前後方向を向くように配置される。ブラケット１２の灯具前方側の主表面には、光源搭載部１４が固定される。ブラケット１２の灯具後方側の主表面には、放熱フィン２６が固定される。ブラケット１２は、エイミングスクリュー２４を介してランプボディ２に支持される。なお、ブラケット１２の形状は特にこれに限定されない。
【００１５】
光源搭載部１４は、例えばアルミニウムなどの金属材料で形成され、ブラケット１２の主表面から灯具前方側に突出する。光源搭載部１４は、鉛直方向上方を向く光源搭載面１４ａを有する。光源搭載面１４ａには光源１６が搭載される。光源１６は例えばＬＥＤで構成され、発光面が鉛直方向上方を向くように配置される。なお、光源１６は白熱球、ハロゲンランプ、放電球等であってもよい。光源１６で発生する熱は、光源搭載部１４及びブラケット１２を介して放熱フィン２６に伝達され、外部に放熱される。
【００１６】
リフレクタ１８は、光源１６の上方に配置されて光源搭載部１４に固定される。リフレクタ１８は、回転楕円面の一部で構成される反射面１８ａを有する。反射面１８ａは、第１焦点と、第１焦点よりも灯具前方側に位置する第２焦点とを有する。リフレクタ１８は、光源１６の発光部が反射面１８ａの第１焦点と略一致するように、光源１６との位置関係が定められる。
【００１７】
シェード部２０は、光源搭載部１４の灯具前方側に配置されて光源搭載部１４に固定される。シェード部２０は、略水平に配置された平面部２０ａと、平面部２０ａよりも灯具前方側で下方に湾曲した湾曲部２０ｂとを有する。リフレクタ１８は、平面部２０ａと湾曲部２０ｂとが為す稜線２０ｃが反射面１８ａの第２焦点の近傍に位置するように、シェード部２０との位置関係が定められる。
【００１８】
投影レンズ２２は、シェード部２０の先端に固定される。投影レンズ２２は、平凸非球面レンズからなり、後方焦点面上に形成される光源像を反転像として灯具前方の仮想鉛直スクリーン上に投影する。投影レンズ２２は、灯具ユニット１０の光軸Ｏ上に、且つ後方焦点が反射面１８ａの第２焦点と略一致する位置に配置される。光源１６から出射した光は、反射面１８ａで反射され、稜線２０ｃの近傍を通って投影レンズ２２に入射する。投影レンズ２２に入射した光は、略平行な光として灯具前方に照射される。また、光源光の一部は、稜線２０ｃを境界線として選択的にカットされる。これにより、稜線２０ｃの形状に対応するカットオフラインを有する配光パターンが車両前方に投影される。
【００１９】
本実施の形態の灯具ユニット１０は、回転楕円面を基調とした形状の反射面を有するプロジェクタ型の反射型灯具である。しかしながら、灯具ユニット１０の構造は特に限定されず、回転放物面を基調とした形状の反射面を有するパラボラ型の反射型灯具であってもよい。また、灯具ユニット１０は、直射型の灯具等であってもよい。また、灯具ユニット１０の取り付け姿勢も適宜設定することができる。
【００２０】
エクステンション部材３０は、光源１６とアウターカバー４との間に配置される中間部材である。また、エクステンション部材３０は開口部３０ａを有し、光軸Ｏの延在方向において開口部３０ａと投影レンズ２２とが重なるように配置される。エクステンション部材３０は、ランプボディ２の開口部と灯具ユニット１０の外周との間の領域を覆う。これにより、車両用灯具１の内部構造を隠すことができる。したがって、エクステンション部材３０は目隠し部材として機能する。エクステンション部材３０は、外縁部がランプボディ２に接続される。
【００２１】
図２は、エクステンション部材の一部を拡大して示す断面図である。図３は、エクステンション部材の傾斜部の近傍を拡大して示す断面図である。エクステンション部材３０は、本体部３２と、金属膜３４とを有する。本体部３２は、アクリル樹脂やポリカーボネート樹脂等の透光性材料で構成される。また、本体部３２は、例えばオレンジ色や青色等の有色透光性材料で構成されてもよい。例えば本体部３２は、上述した樹脂材料を射出成形することで形成される。
【００２２】
金属膜３４は、本体部３２の表面に設けられる。また、エクステンション部材３０の灯具外から視認される領域において、金属膜３４は、本体部３２の灯具外側を向く表面には部分的に、本体部３２の灯具内側を向く表面には全体的に設けられる。例えば金属膜３４は、本体部３２の表面にアルミニウム等の金属を蒸着することで形成される。したがって、金属膜３４は、本体部３２の表面に金属が堆積してできる膜（金属の堆積膜）である。なお、金属膜３４は、無電解めっき法等の他の方法によって形成されてもよい。
【００２３】
エクステンション部材３０は、灯具外側を向く第１表面３０ｂと、第１表面３０ｂに背向する第２表面３０ｃとを有する。そして、第１表面３０ｂは、灯具外からの光Ｌを反射する第１光反射面３０ｂ１と、灯具外からの光Ｌを透過させる第１光透過面３０ｂ２とを有する。また、第２表面３０ｃは、灯具外から第１光透過面３０ｂ２を介してエクステンション部材３０内（より具体的には本体部３２内）に入射した光Ｌを灯具外側に向けて反射する第２光反射面３０ｃ１を有する。光Ｌは、アウターカバー４を通過してエクステンション部材３０に照射される（図１参照）。
【００２４】
第１光反射面３０ｂ１は、本体部３２の灯具外側を向く表面に設けられる金属膜３４によって構成される。第１光透過面３０ｂ２は、本体部３２の灯具外側を向く表面のうち金属膜３４が設けられていない領域によって構成される。第２光反射面３０ｃ１は、本体部３２の灯具内側を向く表面に設けられる金属膜３４によって構成される。本実施の形態では、第１光反射面３０ｂ１を構成する金属膜３４と第２光反射面３０ｃ１を構成する金属膜３４とが連続している。すなわち、エクステンション部材３０は、投影レンズ２２側のの端部が金属膜３４によって縁取りされている。これにより、車両用灯具１の見栄えを向上させることができる。
【００２５】
第２光反射面３０ｃ１は、エクステンション部材３０内に入射した光Ｌの一部を第１光反射面３０ｂ１と第１光透過面３０ｂ２との境界領域ＢＲに向けて反射する傾斜部３６を有する。本実施の形態では、本体部３２は、灯具内側の表面に凹部３２ａを有する。凹部３２ａは、エクステンション部材３０を灯具前後方向に切断した断面において三角形状を有する。傾斜部３６は、凹部３２ａと、凹部３２ａの表面に設けられる金属膜３４とで構成される。
【００２６】
凹部３２ａの深さ、すなわち本体部３２の灯具内側の表面から凹部３２ａの最深部（三角形の頂点）までの距離は、例えば本体部３２の厚さに対して１／６〜４／６程度である。例えば、本体部３２の厚さは約３ｍｍであり、凹部３２ａの深さは約０．５〜２ｍｍである。また、金属膜３４の膜厚は数十ｎｍ〜数百ｎｍであり、本体部３２の厚さと比べて極めて薄い。このため、凹部３２ａの深さと本体部３２の厚さとの関係を、そのまま傾斜部３６の高さＨとエクステンション部材３０の厚さとの関係に当てはめることができる。したがって、傾斜部３６の高さＨ、すなわち第２光反射面３０ｃ１から傾斜部３６の頂点３６ａまでの距離は、例えばエクステンション部材３０の厚さに対して１／６〜４／６程度である。例えば、エクステンション部材３０の厚さは約３ｍｍであり、傾斜部３６の高さＨは約０．５〜２ｍｍである。
【００２７】
境界領域ＢＲは、第１光反射面３０ｂ１と第１光透過面３０ｂ２との境界線から第１光透過面３０ｂ２の所定範囲までの領域である。例えば、境界領域ＢＲは、第１光透過面３０ｂ２のうち、当該境界線からエクステンション部材３０の厚さ分までの領域である。
【００２８】
傾斜部３６は、第２光反射面３０ｃ１における境界領域ＢＲの近傍に配置される。例えば傾斜部３６は、第１光反射面３０ｂ１と第１光透過面３０ｂ２との境界線からエクステンション部材３０の厚さ分だけ第１光反射面３０ｂ１の延在側にずれた位置と、境界領域ＢＲの第１光透過面３０ｂ２側の端部からエクステンション部材３０の厚さ分だけ第１光透過面３０ｂ２の延在側にずれた位置とで挟まれる範囲内に、頂点３６ａが位置するように設けられる。あるいは傾斜部３６は、境界線を基準としてエクステンション部材３０の厚さ分だけ第１光反射面３０ｂ１の延在側にずれた位置とエクステンション部材３０の厚さ分だけ第１光透過面３０ｂ２の延在側にずれた位置とで挟まれる範囲内に、頂点３６ａが位置するように設けられる。
【００２９】
傾斜部３６の頂点３６ａよりも第１光透過面３０ｂ２側の傾斜面３６ｂは、第２光反射面３０ｃ１に対して所定角度、例えば２０°〜８５°の範囲で傾斜する（すなわち、θ＝２０°〜８５°）。これにより、本体部３２内を本体部３２の表面に対して平行に進行する光Ｌを、４０°以上の角度で反射させることができる。この結果、より確実に境界領域ＢＲに光Ｌを反射することができる。
【００３０】
なお、本実施の形態では、傾斜部３６は断面視で三角形状である。しかしながら、傾斜部３６は、傾斜面３６ｂが光Ｌを境界領域ＢＲに向けて反射できる限りにおいてその形状は特に限定されず、円弧状等の他の形状であってもよい。また、傾斜部３６の頂点３６ａよりも第１光反射面３０ｂ１側の傾斜面３６ｃは、第２光反射面３０ｃ１に対する傾斜角度がいずれの角度であってもよく、第２光反射面３０ｃ１に対して垂直であってもよいし、水平であってもよい（以下の変形例１を参照）。
【００３１】
傾斜部３６の作用について以下に説明する。図４（Ａ）は、比較例に係るエクステンション部材の一部を拡大して示す断面図である。図４（Ｂ）は、実施の形態に係るエクステンション部材の一部を拡大して示す断面図である。比較例に係るエクステンション部材９３０は、傾斜部３６を備えていない点が実施の形態に係るエクステンション部材３０と異なる。
【００３２】
図４（Ａ）に示すように、比較例に係るエクステンション部材９３０において、第１光反射面９３０ｂ１に照射される光Ｌ１は、第１光反射面９３０ｂ１によって灯具外に反射される。また、第１光透過面９３０ｂ２における境界領域ＢＲを除く領域に照射される光Ｌ２は、本体部９３２内に入射し、第２光反射面９３０ｃ１によって灯具外に反射される。一方、第１光透過面９３０ｂ２における境界領域ＢＲに照射される光Ｌ３は、光Ｌ２と同様に第２光反射面９３０ｃ１によって反射されるが、反射された先に第１光反射面９３０ｂ１が延在する場合がある。この場合、光Ｌ３は第１光反射面９３０ｂ１によって第２光反射面９３０ｃ１側に反射され、本体部９３２の第１光反射面９３０ｂ１と第２光反射面９３０ｃ１とで挟まれる領域内に進入してしまう。この結果、エクステンション部材９３０は、境界領域ＢＲが他の領域に比べて暗く見えてしまう。
【００３３】
これに対し、図４（Ｂ）に示すように、本実施の形態に係るエクステンション部材３０は、境界領域ＢＲに照射されてエクステンション部材３０内に入射した光Ｌ３を、境界領域ＢＲに向けて反射する傾斜部３６を有する。また、傾斜部３６は、第１光透過面３０ｂ２の境界領域ＢＲを除く領域に照射され、エクステンション部材３０内を導光して傾斜部３６に到達する光も、境界領域ＢＲに反射することができる。このため、比較例に係るエクステンション部材９３０に比べて、エクステンション部材３０の第１表面３０ｂをより均一な明るさにすることができる。なお、境界領域ＢＲにはシボ等の光拡散構造が設けられてもよい。これにより、エクステンション部材３０の第１表面３０ｂをより均一な明るさにすることができる。
【００３４】
以上説明したように、本実施の形態に係る車両用灯具１は、透光性材料を含む灯具構成部品としてエクステンション部材３０を備える。エクステンション部材３０は、灯具外側を向く第１表面３０ｂと、第１表面３０ｂに背向する第２表面３０ｃとを有する。第１表面３０ｂは、灯具外からの光を反射する第１光反射面３０ｂ１と灯具外からの光を透過させる第１光透過面３０ｂ２とを有する。第２表面３０ｃは、灯具外から第１光透過面３０ｂ２を介してエクステンション部材３０内に入射した光を灯具外側に向けて反射する第２光反射面３０ｃ１を有する。
【００３５】
このように、本実施の形態のエクステンション部材３０は、灯具外側面に光反射面と光透過面とを有する。また、灯具内側面に光反射面を有する。すなわち、エクステンション部材３０は、灯具外側面には部分的に、灯具内側面には全体的に金属膜３４が設けられる。これにより、車両用灯具１に新規な見栄えを付与することができ、車両用灯具１の意匠性を向上させることができる。
【００３６】
エクステンション部材３０に照射される光の一部を灯具外側面に設けた第１光反射面３０ｂ１で反射し、他の一部を灯具内側面に設けた第２光反射面３０ｃ１で反射する構成では、灯具外側面における第１光反射面３０ｂ１と第１光透過面３０ｂ２との境界領域ＢＲを通って灯具外に反射される光の量が、他の領域において灯具外に反射される光の量よりも低下することがある。この場合、境界領域ＢＲが暗く見えてしまう。境界領域ＢＲが暗くなると、第１光反射面３０ｂ１での反射により光って見える領域と、第２光反射面３０ｃ１での反射により光って見える領域との一体感が損なわれ、車両用灯具１の意匠性が低下するという新たな課題が生じ得る。
【００３７】
これに対し、第２光反射面３０ｃ１は、エクステンション部材３０内に入射した光の一部を境界領域ＢＲに向けて反射する傾斜部３６を有する。これにより、境界領域ＢＲの明るさが低下することを抑制することができるため、エクステンション部材３０の灯具外側面の明るさを均一化することができる。よって、車両用灯具１の意匠性を向上させることができる。
【００３８】
本発明は、上述の実施の形態に限定されるものではなく、当業者の知識に基づいて各種の設計変更等の変形を加えることが可能であり、そのような変形が加えられた実施の形態も本発明の範囲に含まれる。上述の実施の形態に変形が加えられた新たな実施の形態は、組み合わされる実施の形態及び変形それぞれの効果をあわせもつ。
【００３９】
（変形例１）
図５は、変形例１に係るエクステンション部材の一部を拡大して示す断面図である。以下、変形例１に係る車両用灯具について、実施の形態と異なる構成を中心に説明し、共通する構成については説明を省略する。
【００４０】
変形例１に係るエクステンション部材１３０は、傾斜部３６から第１光反射面３０ｂ１の延在する側の厚さＴ１が、傾斜部３６から第１光透過面３０ｂ２の延在する側の厚さＴ２よりも薄い。これにより、灯具外からエクステンション部材１３０に照射される光が、本体部３２の第１光反射面３０ｂ１と第２光反射面３０ｃ１とで挟まれる領域内に進入することをより確実に抑制することができる。これにより、第１光反射面３０ｂ１や第２光反射面３０ｃ１にピンホールが形成されていた場合に、当該ピンホールからの漏光を抑制することができる。
【００４１】
例えば、第２表面３０ｃのうち傾斜部３６の頂点３６ａから第１光反射面３０ｂ１の延在側の領域が、第１表面３０ｂと平行に延在するように、厚さＴ１の薄厚部が設けられる。これにより、エクステンション部材１３０の成形しやすさを向上させることができる。なお、厚さＴ１を有する薄厚部は、第２表面３０ｃのうち傾斜部３６から第１光反射面３０ｂ１側の領域における少なくとも一部に設けられていればよいが、傾斜部３６に接するように設けられることが好ましい。
【００４２】
（変形例２）
図６は、変形例２に係るエクステンション部材の一部を拡大して示す断面図である。以下、変形例２に係る車両用灯具について、実施の形態と異なる構成を中心に説明し、共通する構成については説明を省略する。
【００４３】
変形例２に係るエクステンション部材２３０は、第１表面３０ｂ及び第２表面３０ｃをつなぐ複数の側面３０ｄを有する。そして、第１光反射面３０ｂ１は、複数の側面３０ｄのうちの第１側面３０ｄ１と第１表面３０ｂとの接続部まで延在する。また、第２光反射面３０ｃ１は、第１側面３０ｄ１と第２表面３０ｃとの接続部まで延在する。したがって、第１側面３０ｄ１には金属膜３４が設けられていない。言い換えれば、第１側面３０ｄ１は光透過面を有する。第１側面３０ｄ１は、例えば灯具前方側を向く面である。
【００４４】
また、第１側面３０ｄ１とは異なる第２側面３０ｄ２は、第１側面３０ｄ１と同様に光透過面を有する。第２側面３０ｄ２は、例えば灯具後方側を向く面である。また、車両用灯具１は、第２側面３０ｄ２からエクステンション部材２３０内に光を入射する第２光源４０をさらに備える。第２側面３０ｄ２からエクステンション部材２３０内（より具体的には本体部３２内）に入射した第２光源４０の光は、傾斜部３６の頂点３６ａと境界領域ＢＲとの間を通過してエクステンション部材２３０内を進行し、第１側面３０ｄ１から出射される。本変形例によれば、第１側面３０ｄ１を発光させることができるため、車両用灯具１の意匠性をさらに向上させることができる。
【００４５】
上述した実施の形態及び変形例では、灯具構成部品としてエクステンション部材３０，１３０，２３０を例に挙げて説明した。しかしながら、灯具構成部品はエクステンション部材に限定されず、透光性の本体部を有する他の部品であってもよい。例えば灯具構成部品は、３０ｍｍ程度の厚さを有する厚肉の導光レンズであってもよい。この場合、凹部３２ａの深さは、本体部３２の厚さに対して１／６０〜４／６程度（約０．５〜２０ｍｍ）である。また、上述した実施の形態及び変形例では１つの凹部３２ａが設けられているが、複数の凹部３２ａが連続するように設けられてもよい。
【符号の説明】
【００４６】
１  車両用灯具、  ４  アウターカバー、  １６  光源、  ３０，１３０，２３０  エクステンション部材、  ３０ｂ  第１表面、  ３０ｂ１  第１光反射面、  ３０ｂ２  第１光透過面、  ３０ｃ  第２表面、  ３０ｃ１  第２光反射面、  ３０ｄ  側面、  ３０ｄ１  第１側面、  ３０ｄ２  第２側面、  ３２  本体部、  ３６  傾斜部、  ４０  第２光源、  ＢＲ  境界領域。
【図１】
2017112056.tif 000003
【図２】
2017112056.tif 000004
【図３】
2017112056.tif 000005
【図４】
2017112056.tif 000006
【図５】
2017112056.tif 000007
【図６】
2017112056.tif 000008